(57)【特許請求の範囲】
【請求項１】
放射線原が内蔵されている外部カプセル（１０３）、調整用ハンドルにつながった雄のコネクタ−と結合された雌のコネクタ−（１０５）及び、上記の外部カプセル（１０３）と上記の雌のコネクタ−（１０５）をつなぐピッグテイル（pig tail）（１０７）からなる放射線原アセンブリにおいて、
前記ピッグテイルは、コア上に一定のピッチ間隔を維持しながら巻かれている大径捲線（１２９）と大径捲線（１２９）のピッチ間に巻かれている小径捲線（１２７）とからなり、上記の外部カプセル（１０３）のキャップコネクタ−（１０９）の装着孔（１１５）の内周面には上記のピッグテイル（１０７）の大径捲線（１２９）と対応するねじホ−ル（hole）（１１９）が設けられていることを特徴とする放射線原アセンブリ。
【請求項２】
上記の雌のコネクタ−（１０５）の装着孔（１１４）の内周面には上記のピッグテイル（ｐｉｇ  ｔａｉｌ）（１０７）の他側端大径捲線（１２９）がねじ締結されるねじホ−ル（ｈｏｌｅ）（１２０）が設けられていることを特徴とする請求項１記載の放射線原アセンブリ。
【請求項３】
上記の外部カプセル（１０３）は、放射線原円板標的（ｄｉｓｋ  ｔａｒｇｅｔｓ）（１１６）を積層して収用できるようになっているカプセル体（１１７）、上記のカプセル体（１１７）の開口部に挿入されて上記のカプセル体（１１７）の内部を密封させるように溶接されたカプセル栓（１２６）及び、上記のカプセル栓（１２６）の内部装着孔（１２１）に挿入されて上記のカプセル栓（１２６）溶接の時、上記のカプセル体（１１７）の内部に積層されていた複数の上記放射線原円板標的（１１６）を押し付けるようになっている加圧スプリング（１２３）からなる内部カプセル（１１３）を内蔵することを特徴とする請求項１記載の放射線原アセンブリ。
【発明の詳細な説明】
【０００１】
【発明の属する技術分野】
本発明は原板型の放射線原（放射線源）が二重で密封される線原（線源）カプセルのキャップコネクタ−と雌のコネクタ−をピッグテイル（ｐｉｇｔａｉｌ）の両端に結合することによって構成されるＩｒ−１９２放射線原アセンブリ及び、そのキャップコネクタ−と雌のコネクタ−を圧搾することによってピッグテイルの両端にキャップコネクタ−と雌のコネクタ−を圧搾連結する圧搾機に関するものである。
【０００２】
【従来の技術】
一般的に非破壊検査用等に用いられる放射線原を作るためにはＩｒ円板を使用することになっている。このような標的物質は国内で生産されないので外国から輸入して使用する。輸入された標的物質は１次加工工程を経た製品だから原子炉で中性子照射させる前、前処理工程と最終処理を経て使用しなければならない。これについて詳述すれば下記のようである。
【０００３】
まず、標的物質の直径及び厚さを測って外形の異常有無を肉眼で検定する。この時、標的の中で円板の一面が非正常的な状態のもので発見される場合がある。
【０００４】
そして、円板の扁平度を検定して、円板を加工する時は打抜き方式（ｐｕｎｃｈｉｎｇ  ｐｒｏｃｅｓｓ）により製作されるので扁平度が維持できなくて円板を金属平板と平板との間に入れて非金属性鎚で打って平らにする。もし円板が扁平度が維持できないと点線原の特徴を生かせないだけでなく検査後良質の映像を得ることができない。
【０００５】
又、原板の回りに付けている微細なのこりかすを除かなければならないで、こののこりかすを除いて放射能物質による汚染が発生する可能性をあらかじめ排除するべきだ。
【０００６】
これによって前処理工程が終わると中性洗剤及び蒸溜水を用いて洗浄して最終的に超音波洗浄の後乾燥させ標的の準備が完了され、この後標的物質を使用することになって、各標的物質の重さを測って計算値との差異を確認することになって、各標的物質は化学型がＩｒ金属型で、大きさは直径が２．５ｍｍ、厚さが０．２５ｍｍで、重さは２７．６ｍｇ／ｄｉｓｃで、核種純度は９９．９％で、比重は２２．５／ｃｍ３である。
【０００７】
標的準備と線原カプセルの製作が完了されたら放射線原を製作することになって、アルミニウム照射容器に装入された標的物質を多目的原子炉の中性子照射孔で一定期間照射させた後照射容器を照射孔から取り出して運搬容器に盛ってコンクリ−トケイブ（ｃｏｎｃｒｅｔｅ  ｈｏｔ  ｃｅｌｌ）に移してマニピュレ−タ−（ｍａｎｉｐｕｌａｔｏｒ）で運搬容器から取り出す。このように取り出した照射容器を分類、計測自動化装置に設けた後制御装置を作動させると自動化装置に設置されたプログラムにより容器の切断、放射能の計測、分類が終わった放射線原カプセルの装填等が自動的になされて、この時Ｉｒ円板標的は各枚の放射能測定が終わった後密封線原に作るためにステンレスカプセルの中にＩｒ円板を５〜１０枚ずつ積み重ねた後栓をしてプラズマア−ク溶接を実施する。
【０００８】
このような放射線原カプセル及び放射線原の製作が完了すれば、下記のような放射線原アセンブリを製作することになって、一例として図１で示した放射線原アセンブリ（１）がある。
【０００９】
この放射線原アセンブリ（１）は外部カプセル（３）、雌のコネクタ−（５）、及びピッグテイル（７）からなる。外部カプセル（３）はＳＵＳ３１６Ｌの材質になっていて図２に詳細に示したようにピッグテイル（７）が挿入されたキャップコネクタ−（９）とキャップコネクタ−（９）にＴＩＧ溶接された外部キャップ（１１）及び外部キャップ（１１）の内部に設けた内部カプセル（１３）に構成されていた。
【００１０】
そして、外部キャップ（１１）は内部カプセル（１３）が内装できるように内部に空間が形成されていて、全体的に断面ア−チ形を形成することによって前方端部が曲面形態をとって放射線原アセンブリ（１）が用いられる非破壊検査装備のガイドチュ−ブ（ｇｕｉｄｅ  ｔｕｂｅ）を通りすぎる時発生する運動抵抗を最小化させるようになっている。また外部キャップ（１１）は内部空間の開放端がキャップコネクタ−（９）の連結突起（３１）にはめられてＴＩＧ溶接される。
【００１１】
ピッグテイル（７）につながるキャップコネクタ−（９）は内側にピッグテイル（７）が挿入された装着孔（１５）が形成されている円筒形部材として装着孔（１５）の反対側に外部キャップ（１１）をはさむための連結突起（３１）が突出形成されている。
【００１２】
外部キャップ（１１）に内装された内部カプセル（１３）は図３で示したように内部に放射線原円板標的（１０）を積層するようになっていた円筒形の外部ケ−ス（２１）と、この外部ケ−ス（２１）の上端開口部に挟まれて密封された密封カバ−（２３２）と、円板標的を圧迫するために密封カバ−（２３２）と円板標的（１０）の間に挟まれる充填体（１７）とからなる。
【００１３】
又、ピッグテイル（７）は図４ａ及び図４ｂで詳細に示したように色々な筋のワイヤ−コア（２３）と、ワイヤ−コア（２３）の上に巻き付く１次捲線（２５）と、１次捲線（２５）の上に巻き付く２次捲線（２７）及び２次捲線（２７）と一緒に１次捲線（２５）の上に巻き付く一定ピッチ間隔の大径捲線（２９）からなる。この時、各々のワイヤ−（２１）（２３）（２５）（２７）（２９）は全部炭素鋼材質からなって一定の弾性力をもって、１万回以上反復使用しても磨耗されて切れること又はとける状態が発生しなく、空気中に露出されても腐蝕に耐えることができる性質をもつ。
【００１４】
したがって、放射線原アセンブリ（１）は雌のコネクタ−（５）に結合される雄のコネクタ−とつながった調整用ハンドルによりガイドチュ−ブを通りすぎて放射線原の運送装備の内部に保管されていて運ばれて、実際の非破壊検査装備に適用されてガイドチュ−ブを通じて測定位置に移動配置される。そして、放射線原アセンブリ（１）が運送装備の内部に保管される時図５でしめしたようにアセンブリ（１）の後端にある雌のコネクタ−（５）の外周面に突出形成されたストップボ−ル（１９）（ｓｔｏｐ  ｂａｌｌ）が運送装備の内壁に引っ掛かるようにして放射線原アセンブリ（１）を運送装備の内部で正位置させることによってアセンブリ（１）の誤装着による放射線漏洩を防止するようになる。
【００１５】
ところで、上述したような従来の放射線原アセンブリ（１）はピッグテイル（７）の両端に外部カプセル（３）と雌のコネクタ−を結合することにおいて図４及び図５で示したように外部カプセル（３）のキャップコネクタ−（９）に形成された装着孔（１５）と雌のコネクタ−（５）の内部に形成された装着孔（１８）の内にピッグテイル（７）の両端を各々押し付けて専用圧搾機を用いてキャップコネクタ−（９）と雌のコネクタ−（５）をピッグテイル（７）に対して半径方向の内側に圧搾する方式を取っていたので、放射線原アセンブリ（１）の使用中キャップコネクタ−と雌のコネクタ−がピッグテイル（７）の後端で離脱される可能性がある問題点をもっている。
【００１６】
又、圧搾のためにピッグテイル（７）の両端にキャップコネクタ−（９）と雌のコネクタ−（５）を挟み込んだ時ピッグテイル（７）の真直度（ｓｔｒａｉｇｈｔｎｅｓｓ）またはキャップコネクタ−（９）と雌のコネクタ−（５）装着孔（１５、１８）の平便度または真直度にしたがって又は外部カプセル（３）と雌のコネクタ−（５）をピッグテイル（７）に挟んで入れた圧入力にしたがってピッグテイル（７）の両端が各々の装着孔（１５、１８）の底まで挿入されない場合が発生する。だから、ピッグテイルの到達点の確認による正確な圧搾位置の維持が保障されなく、ピッグテイル（７）の装入長さが最大化できないことによって圧搾の後アセンブリの真直性の維持が困ることになる問題点がある。
【００１７】
そして、上述したことのような従来の放射線原アセンブリ（１）で内部カプセル（１３）は外部ケ−ス（２１）に円板標的（１０）と充填体（ｆｉｌｌｅｒ）（１７）を挿入した後、密封カバ−（２３２）をして溶接により密封することになるので密封カバ−（２３２）を溶接した後円板標的（１０）の積層の数または厚さと充填材（１７）の長さが調和しない場合、外部ケ−ス（２１）の内部で原板標的（１０）のすべりが発生し、互いに離れて動く。又、この状態で放射線原アセンブリ（１）を非破壊検査装備に適用させ非破壊検査をすると放射線撮影の点線原（ｐｏｉｎｔ  ｓｏｕｒｃｅ）の役割をする円板標的（１０）が固定されないまま検査対象物を撮影することになって焦点が合わないなど正確な検査結果を得ることができない問題点がある。
【００１８】
一方、線原カプセル（３）のキャップコネクタ−（９）とピッグテイル（７）をつなげる工程では密封溶接をするためにＴＩＧ溶接をして、この溶接熱により材料が物性変化を起こして連結部位の弱化をもたらす問題点がある。このような変化を防止するためにアセンブリ（１）を製作する時キャップコネクタ−（９）とピッグテイル（７）の溶接による連結方式を避けてキャップコネクタ−（９）とピッグテイル（７）を圧搾させて連結させる方式が導入されたことがある。
【００１９】
このような従来の圧搾連結方法の例として図６で示したようなプレス圧搾機（５１）が用いられたことがある。この従来の圧搾機（５１）が一般的な圧搾プレスのように線原カプセル（３）のキャップコネクタ−（９）の内にピッグテイル（７）を挟む状態で放射線原アセンブリ（１）を圧搾してつながるようになっていて、この時圧搾部位はキャップコネクタ−（９）とピッグテイル（７）が重畳される部分になる。
【００２０】
したがって、上部パンチ（５３）と下部の台（５５）の二つからなる図６のプレスで放射線原アセンブリ（１）を圧搾連結すると、キャップコネクタ−（９）とピッグテイル（７）の重畳部位に加わる荷重が上下方向には均一に分布するが左右方向では一定の偏差があって圧搾した後放射線原アセンブリが求める精密度の真直性が維持できない問題点がある。
【００２１】
これは製作されたアセンブリが放射線原アセンブリの製作規格に合わない結果をもたらすだけでなく，  高い放射線を放出する危険物質の放射線原を内装しているアセンブリが案内管の内部で反復的に往復移動する運動条件で過度に磨耗されて安定性が低下される結果をもたらすことになる問題点がある。
【００２２】
【発明が解決しようとする課題】
よって、本発明は上記のような問題点を解決するために案出されたもので、第１目的は外部カプセルのキャップコネクタ−と雌のコネクタ−各々のピッグテイル装着孔の内周面にピッグテイルの螺旋形で突出された大径捲線がねじ式で結合されることができる螺線溝を加工することによって、キャップコネクタ−と雌のコネクタ−がピッグテイルの両端に圧搾のために挟まれる時、ピッグテイルにねじ結合されるようにして圧搾の後キャップコネクタ−または雌のコネクタ−がピッグテイルの両端から離脱されるのを防止して、ピッグテイルの到達地点の確認による正確な圧搾位置の維持が可能にして、ピッグテイルの挿入長さを最大化させることによって圧搾の後放射線原アセンブリの真直性維持を可能にしようことにある。
【００２３】
又、本発明の第２目的はカプセル栓にスプリングを付着することによってカプセルに装入される円板標的が数量にかかわらず完全に点線原状態を維持するようにして、溶接用置具に栓を押さえる装置を設置して点線原を維持させる役割をするようにして、溶接性を向上させるようにすることにある。
そして、本発明の第３目的は放射線原が挿入される放射線原アセンブリの線原カプセルと放射線原アセンブリ体を形成する弾性材質のピッグテイルを複数接点圧搾式プレスによって一定の角度の間隔で同時に圧搾してつながることによって圧搾した後でも線原カプセルとピッグテイルが一直線を維持するようにして案内管の内部で反復的に移動する線原カプセルが摩擦抵抗により磨耗破損されることを防止することにある。
【００２４】
【課題を解決するための手段】
上記のような第１目的を達するための本発明は、放射線原（放射線源）が内装される外部カプセル、調整用ハンドルにつながった雄のコネクタ−と結合される雌のコネクタ−及び上記外部カプセルと上記雌のコネクタ−をつなげるピッグテイルからなる放射線原（放射線源）アセンブリにおいて、上記外部カプセルのキャップコネクタ−の装着孔の内周面には上記のピッグテイルの一側端大径捲線がねじ締結されるねじホ−ルが設けられている放射線原アセンブリを提供する特徴がある。
【００２５】
又、上記の雌のコネクタ−装着孔の内周面にはピッグテイルの他側端大径捲線がねじ締結されるねじホ−ルが設けられていることを特徴とする。
【００２６】
上記のような第２目的を達するための本発明は放射線原円板標的を積層して収用するようになっているカプセル体、このカプセル体の開口部に挿入されてカプセル体の内部を密封させるように溶接されるカプセル栓及びカプセル栓の内部装着孔に挿入されて栓の溶接時カプセル体の内部に積層されている複数の上記放射線原円板標的を圧迫するようになっている加圧スプリングからなる内部カプセルを含む放射線原アセンブリを提供する点に特徴がある。
【００２７】
【実施例】
以下、本発明の実施例を添附図面を参照して詳細に説明する。
【００２８】
図７は本発明による放射線原アセンブリを示すこととして、この放射線原アセンブリはピッグテイル（１０７）、このピッグテイル（１０７）の一側端に結合される外部カプセル（１０３）及び他側端に結合される雌のコネクタ−（１０５）からなる。
【００２９】
ここでピッグテイル（１０７）は図４ａ及び図４ｂで示した従来のピッグテイル（７）と同一な構成をもっているもので、色々な束の炭素鋼ワイヤ−を縒って作ったワイヤ−コアとその上に一定のピッチ間隔を維持しながら巻かれている大径捲線（１２９）及び大径捲線（１２９）のピッチ間に巻かれている小径捲線（１２７）からなる丸いねじ形態の弾性棒である。よって、ピッグテイル（１０７）もピッグテイル（７）のように数回にわたる反復使用にも磨耗または破断及び解ける現状が発生されなく、空気中で強い耐蝕性を発揮しながら高い弾性力が維持できるように炭素鋼ワイヤ−を用いて製作される。
【００３０】
このピッグテイル（１０７）の一側端に結合される外部カプセル（１０３）は図８で示したようにキャップコネクタ−（１０９）、外部キャップ（１１１）及び内部カプセル（１１３）からなる。キャップコネクタ−（１０９）は内側にピッグテイル（１０７）が挿入される装着孔（１１５）が形成されていた円筒形部材として装着孔（１１５）の反対側に外部キャップ（１１１）を挟むための連結突起（１３１）が突出形成されていた。
【００３１】
そして、装着孔（１１５）の内周面にはピッグテイル（１０７）を一つの丸いねじとみる時ねじ山に該当するピッグテイル（１０７）の大径捲線（１２９）がねじ式に結合されるように大径捲線（１２９）と対応する形態のねじホ−ル（ｈｏｌｅ）（１１９）が加工されていて、図８で示した実施例の場合には四つのねじ山が結合されるように四つのねじ溝を形成している。この時ねじホ−ル（１１９）が形成するねじ溝の個数が四つである意味は、ピッグテイル（１０７）にキャップコネクタ−（１０９）を圧搾させながら真直性が維持できる最少の個数が四つであることを意味し、各種の原子力装備規格により規制を受けなければキャップコネクタ−（１０９）の内周面に四つ以上のねじ溝からなるねじホ−ル（１１９）も加工できる。
【００３２】
外部キャップ（１１１）は従来の外部キャップと同様に内部カプセル（１１３）が内装できるように内部に空間が形成されていて、全体的に断面ア−チ形を形成することによって前方端部分が曲面形態になって放射線原アセンブリが用いられる非破壊検査装備のガイドチュ−ブ（ｇｕｉｄｅ  ｔｕｂｅ）を通りすぎる時発生する運動抵抗を最小化させるようになっている。又、外部キャップ（１１１）は内部空間の開放端にキャップコネクタ−（１０９）の連結突起（１３１）に挟まれてＴＩＧ溶接される。
【００３３】
この時、内部カプセル（１１３）はその材質としてＳＵＳ３１６Ｌを使用している。また原子力法施行細則関聯根拠に適合するように一つの辺の長さが最小０．５ｃｍ以上になるように製作されて、図９に示すように、放射線原円板標的（１１６）を積層して収用するようになっているカプセル体（１１７）とカプセル体（１１７）の開口部に挿入されてカプセル体（１１７）の内部を密封させるよう溶接されるカプセル栓（１２６）そしてカプセル栓（１２６）の内部装着孔（１２１）に挿入されて栓（１２６）の溶接時、カプセル体（１１７）の内部に積層されている複数の円板標的（１１６）を圧迫するようになっている加圧スプリング（１２３）からなる。
【００３４】
このカプセル体（１１７）は中空の円筒体としてカプセル栓（１２６）が挿入される側に開口部が形成されていて、外部キャップ（１１１）の内周面に密着される外形をもっていて、内部で円板標的（１１６）がスライド移動できるぐらい、円板標的（１１６）の直径より大きい内径をもつ。カプセル体（１１７）に挿入結合されるカプセル栓（１２６）も上端に拡径部（１２５）をもつ円筒体としてカプセル体（１１７）の内径より小さい外形をもっていて、内側に加圧スプリング（１２３）を挟むための装着孔（１２１）が加工されていて、拡径部（１２５）によりカプセル体（１１７）が開口部の辺（ｅｄｇｅ）に引っ掛かって溶接されるようになっている。
【００３５】
このようにカプセル体（１１７）にカプセル栓（１２６）を溶接するには、専用溶接ジグが使用されて、カプセル体（１１７）に複数の円板標的（１１６）を積層させ装填した状態でカプセル体（１１７）をジグ部分に固定させた後、スプリング（１２３）が挟まれて付着されているカプセル栓（１２６）をカプセル体（１１７）に挿入した後、接触部位をプラズマまたはＴＩＧ溶接して接合する。したがって、加圧スプリング（１２３）によりカプセル体（１１７）内に動きを押さえさせた点線原の形態で円板標的（１１６）が装填できる。
【００３６】
また、外部キャップ（１１１）は従来の外部キャップと同様に内部カプセル（１１３）が内装できるように内部に空間に形成されていて、全体的に断面ア−チ形を形成することによって前方端部分が曲面形態になって放射線原アセンブリが使用される非破壊検査装備のガイドチュ−ブを通りすぎる時発生する運動抵抗を最小化させるようになっている。また、外部キャップ（１１１）は内部空間の開放端がキャップコネクタ−（１０９）の連結突起（１３１）に挟まれてＴＩＧ溶接される。
【００３７】
このように構成された本発明の放射線原アセンブリ（１０１）によると、外部カプセル（１０３）のキャップコネクタ−（１０９）にピッグテイル（１０７）をつなげる場合、キャップコネクタ−（１０９）の装着孔（１１５）の内周面に加工したねじホ−ル（１１９）がピッグテイル（１０７）の大径捲線（１２９）の誘導によってキャップコネクタ−（１０９）とピッグテイル（１０７）がねじ式に結合される。
【００３８】
このようにキャップコネクタ−（１０９）とピッグテイル（１０７）をねじ連結した後アセンブリ圧搾機械を用いてキャップコネクタ−（１０９）の外周面を圧迫してキャップコネクタ−（１０９）とピッグテイル（１０７）が圧搾できることになる。
【００３９】
これと同様に雌のコネクタ−（１０５）とピッグテイル（１０７）をつながることにおいて雌のコネクタ−（１０５）の装着孔（１１４）の内周面に加工したねじホ−ル（１２０）がピッグテイル（１０７）大径捲線（１２９）を誘導する役割をすることによってピッグテイル（１０７）が雌のコネクタ−（１０５）をピッグテイル（１０７）外周面に圧搾機械を用いて圧搾させることができる。
【００４０】
又、内部カプセル（１１３）に、カプセル栓（１２６）に加圧スプリング（１２３）を付着することによって内部カプセル（１１３）に装入される円板標的（１１６）を加圧することによって円板標的（１１６）の数にかかわらず非破壊検査時、点線原状態が維持できて被写体の動きが防止できる。
そして、溶接用ジグにカプセル栓（１２６）を押す装置を設けて円板標的（１１６）を点線原状態で維持させながら栓（１２６）を溶接することになるのでカプセルの溶接性を向上させることができる。
【００４１】
図１０と図１１及び図１２は本発明の放射線原アセンブリ圧搾機（２０１）を示す。この圧搾機（２０１）は放射線原が装入されている線原カプセル（１０３）と弾性をもつピッグテイル（１０７）を多重接点で圧搾連結して放射線原アセンブリ（１０１）を製作する装置として、本実施例においては図で示したように３点圧接式の圧搾機（２０１）を例に説明する。
【００４２】
この圧搾機（２０１）は直接放射線原アセンブリ（１０１）の線原カプセル（１０３）を圧搾する複数の圧搾パンチ（２０９）、圧搾力を発生させる駆動シリンダ−（２２１）、駆動シリンダ−（２２１）の水平運動を垂直方向に変えて圧搾パンチ（２０９）に伝達するプッシュロッド（２１９）と複数の加圧ロッド（２１３）からなって、これらの各部品は基部（２１０）の上に設けられている。
【００４３】
この時、複数の圧搾パンチ（２０９）は線原カプセル（１０３）とこの線原カプセル（１０３）に挟まれているピッグテイル（１０７）の重畳部位を外側から複数の接点に圧搾するようになっていることで、図１１で示めした実施例の場合は固定円板（２２５）上に三つの圧搾パンチ（２０９）が備わって、固定円板（２２５）は基部（２１０）に付着された支持体（２１１）に複数のボルト（２４１）で固定されている。よって、各々の圧搾パンチ（２０９）は一定の角度間隔を維持して半径方向に設けられるように１２０°の間隔で配列される。
【００４４】
又、圧搾パンチ（２０９）は固定円板（２２５）上に放射状で付着されている案内部材（２２３）に挿入されて半径方向でスライドができるように往復運動するように案内されて、各々の案内部材（２２３）は複数のねじ（２４３）により固定円板（２２５）上に締結されていて、各々の圧搾パンチ（２０９）中心側端には圧搾チップ（２２７）が備えていて、各々の圧搾チップ（２２７）は線原カプセル（１０３）の圧搾半径と相応する半径を選択して圧搾パンチ（２０９）に装着できるように着脱自由に付着されている。そして、案内部材（２２３）の中央の上端部には横部材（２３４）が圧搾パンチの上側に付着されていて、この横部材には圧搾パンチ（２０９）に一端が付着された帰還スプリング（２２９）が付着されていて圧搾パンチ（２０９）に対する加圧力が除かれた時、圧搾パンチ（２０９）を半径方向の外側に引き上げるようになっている。
【００４５】
圧搾パンチ（２０９）が装着された固定円板（２２５）がボルト（２４１）で固定されている支持体は図１２で図面番号２１１と示すように面取りの平板形態になっている。この支持体（２１１）にはボルト（２４１）が挿入締結されるねじ孔（２４５）が同じ円周上に配列形成されていて、複数の圧搾パンチ（２０９）すなわち、本実施例の場合には三つの圧搾パンチ（２０９）を加圧する三つの加圧ロッド（２１３）をピボット回転可能に装着するように周りに１２０°の間隔で三つの絶結溝（２４７）が加工されている。そして各々の絶結溝（２４７）には直角方向で貫通孔（２４９）が形成されて支持点の加圧ロッド（２１７）をピボット装着するための固定ピン（２５１）を挿入装着するようになっている。
【００４６】
又、支持体（２１１）の中央には貫通孔（２４９）が形成されて三つの圧搾パンチ（２０９）の中央に挟まれる放射線原アセンブリ（１０１）の先端部を支持する目盛り棒（２２６）が挿入されていて、この目盛り棒（２２６）を正位置に固定するために圧搾位置調整棒（２３２）が支持体（２１１）の上側傾斜面から貫通挿入されている。この時圧搾位置調整棒（２３２）は上端部に取っ手（２３６）が付着されていて、体部分にねじ加工されて作業時取っ手（２３６）回転により上下に移動して下端部分に目盛り棒（２２６）を固定または解除するようになっている。そして目盛り棒（２２６）には図１０のように目盛りが彫られていて作業者が放射線原アセンブリ（１０１）の挿入長さを外見上に確認できるようにする。
【００４７】
図１０で示すように圧搾パンチ（２０９）の圧搾チップ（２２７）対向側端すなわち、半径方向外側端を下向加圧する三つの加圧ロッド（２１３）は圧搾パンチ（２０９）を加圧するようにふくらとした形状をもつ先端部から大体１／３の支持点（２１７）が支持体の各絶結溝（２４７）にピボット回転可能に結合されていて、先端部対向側部にはロ−ラ−（２３１）が装着されていて、ロ−ラ−（２３１）は図１０及び図１４で示すように固定ピン（２５３）により加圧ロッド（２３１）の後端側絶結溝（２５５）の内側に自転可能に締結されている。
【００４８】
加圧ロッド（２１３）のロ−ラ−（２３１）と接するようになっているプッシュブロック（２３５）はロ−ラ−（２３１）と接する傾斜面をもつ円錐形の部材として加圧ロッド（２１３）をピボット支持点（２１７）に挟まる固定ピン（２５１）を中心で回転させ外側に隔たりができるように押し上げるようになっていて、後面に往復移動形プッシュロッド（２１９）が挿入装着されている。
【００４９】
往復移動形プッシュロッド（２１９）は駆動シリンダ−（２２１）に装着されて駆動シリンダ−（２２１）で発生される駆動力により水平方向に往復運動しながらプッシュブロック（２３５）を通じてロ−ラ−（２３１）を押し上げるようになっていて、往復駆動力を発生させる駆動シリンダ−（２２１）は水平配列されて前後支持フレイム（２５７）により基部（２１０）の上に設けられていた。
【００５０】
したがって、本発明の放射線原アセンブリ用圧搾機（２０１）は上記のような構成により下記のように放射線原アセンブリ（１０１）を圧搾連結する。
【００５１】
本発明にしたがう圧搾機（２０１）により放射線原アセンブリ（１０１）が圧搾される前にアセンブリ（１０１）体を形成しているピッグテイル（１０７）を線原カプセル（１０３）に入れる。この時アセンブリ（１０１）の種類にしたがってピッグテイル（１０７）と線原カプセル（１０３）は挟み合わせ又はねじ式に連結される。
【００５２】
そして、図１０の右側に示すように、三つの圧搾パンチ（２０９）が集まって形成する中心開口部にピッグテイル（１０７）と線原カプセル（１０３）の重畳部分が固定されるようにアセンブリ（１０１）を挿入設置する。このアセンブリ（１０１）と圧搾パンチ（２０９）の位置関係が図１３に示され、一旦アセンブリ（１０１）の圧搾位置が決定されば圧搾位置調整棒（２３２）を解除して目盛り棒（２２６）を左右に移動させて決定された圧搾位置にふさわしい深さぐらい目盛り棒（２２６）の位置を設定した後再び調整棒（２３２）を引き締めて目盛り棒（２２６）の位置を固定させると目盛り棒（２２６）の設置位置にしたがって圧搾パンチ（２０９）圧搾チップ（２２７）の圧搾刃（２２８）により圧搾される線原カプセル（１０３）の部位を確実に設定ことができる。
【００５３】
このように放射線原アセンブリの設置が完了されると、駆動シリンダ−（２２１）が可動されてプッシュロッド（２１９）が支持体（２１１）の側に押され動くようになって、これにしたがってプッシュブロック（２３５）も支持体（２１１）の側に前進して傾斜面（２３３）により三つのロ−ラ−（２３１）を各々押し上げる。
【００５４】
ロ−ラ−（２３１）が傾斜面（２３３）にしたがって自転しながら押され上がると、ロ−ラ−（２３１）と一体でつながった三つの加圧ロッド（２１３）がピボット支持点（２１７）を中心で時計方向に回転して、回転する各々の加圧ロッド（２１３）は梃子の原理にしたがってロ−ラ−（２３１）に加わる力より大きい力で三つの圧搾パンチ（２０９）を下向加圧する。
【００５５】
下向加圧された三つの圧搾パンチ（２０９）は図１１で示した状態のように案内部材（２２３）に案内されて半径方向の内側に移動して同時に３地点でアセンブリ（１０１）の圧搾地点を各々の圧搾刃（２２８）で圧搾させる。
【００５６】
そして、反対にプッシュロッド（２１９）が駆動シリンダ−（２２１）の側に後退するとロ−ラ−（２３１）の間に挟まれていたプッシュブロック（２３５）が抜け出ながら加圧ロッド（２１３）が図１０の状態で反時計方向に回転して圧搾パンチ（２０９）に加わった加圧力が解除され、圧搾パンチ（２０９）が帰還スプリング（２２９）の復原力により作動前の無負荷状態に復帰されればアセンブリ（１０１）を圧搾機（２０１）から抜いて圧搾作業を終える。
【００５７】
【発明の効果】
上記のように、本発明にしたがう放射線原アセンブリは放射線原を貯蔵するようになっている外部カプセルのキャップコネクタ−と調整用ハンドルにつながった雄のコネクタ−と結合される雌のコネクタ−が各々の内部に形成されたねじホ−ルによりピッグテイルとねじ式で結合されて圧搾用機械により圧搾連結されるのでピッグテイルがキャップコネクタ−または雌のコネクタ−と無理に挟まれた状態で圧搾される時よりキャップコネクタ−または雌のコネクタ−から離脱される可能性が少なくなり、ピッグテイルの到達点確認による正確な圧搾位置の維持ができることだけでなく装着孔内部にピッグテイル装入長さを最大化させることによって圧搾作業の後ピッグテイルとキャップコネクタ−及び雌のコネクタ−の真直性が維持できるようになるので実際現場で適用される場合放射線原アセンブリの規格に合う的確な使用ができ、よって使用中に放射線原アセンブリの引入出抵抗を最小化して、危険性を最小化させることができる。
【００５８】
又、放射線原アセンブリの長さを一定に維持させることができるので放射線原が非破壊検査装置または運搬容器内部の正位置に固定されて放射線漏泄量が多くになる危険性も予防できる。
【００５９】
そして、内部カプセルを密封するカプセル栓の内部に標的加圧用スプリングを付着してカプセル内部に積層されている複数の原板標的を加圧した状態で栓を内部カプセルに挿入溶接することによって加圧スプリングにより積層数量にかかわらずカプセル内部の原板標的が加圧固定できて常に点線原状態を維持する状態で放射線原アセンブリを用いて非破壊検査ができるので被写体の動きがない正確な検査結果を得ることができ、溶接時溶接用ジグのカプセル栓加圧用装置によりカプセル栓を加圧した状態で溶接するのでＴＩＧ溶接時のように不活性ガス雰囲気下で溶接をすることになる場合でも内部カプセルの内部に、すなわち内部カプセルのカプセル体の開口部の辺（ｅｄｇｅ）とカプセル栓の間の接触面に不活性ガスが浸透されるのを防止することができるので原板標的を点線原状態で維持させながら栓が溶接できるのでカプセルの溶接性を向上させることができる。
【００６０】
一方、本発明にしたがう放射線原アセンブリ用圧搾機は放射線原アセンブリの線原カプセルとピッグテイルを圧搾連結する場合、線原カプセルとピッグルの重部位を三つまたはその以上の圧搾地点で同時に圧搾することができるので、圧搾部位に加わる圧搾力を均一に維持することができ、圧搾後放射線原アセンブリの真直性を正確に維持させることができる。
【００６１】
よって、非破壊検査などに用いられるとき放射線漏出を防止するように放射線遮蔽された案内管の内部を反復して移動するようになっている放射線原アセンブリが圧搾部位の折れることによって過度の摩擦を起こして磨耗破損されろうが作動不能の状態になるのを止めることができるので放射線原アセンブリの安全性を十分に向上させることができる。
【００６２】
本発明は特定の実施例に関して図示及び説明したが、特許請求範囲により示す発明の思想及び領域から外れない範囲内での多様な改造及び変化を、当業界で通常の知識をもっている者が、容易に行うことが出来ることは、明らかである。
【図面の簡単な説明】
【図１】従来の放射線原アセンブリの正面図である。
【図２】図１で示した放射線原カプセルの部分詳細断面図である。
【図３】図２の放射線原内部カプセルを詳細に示した断面図である。
【図４】図１及び図２で示したピッグテイルの詳細図であり、（ａ）は正面図、（ｂ）はピッグテイルを形成するワイヤ−の直径を示す概略断面図である。
【図５】図１で示した雌のコネクタ−部分詳細断面図である。
【図６】図２で示したピッグテイルキャップコネクタ−を圧搾することに用いられた従来の圧搾機を示す概略正面図である。
【図７】本発明の放射線原アセンブリの断面図である。
【図８】図７で示した放射線原カプセルの分解縦断面図である。
【図９】図７で示した内部カプセルの分解断面図である。
【図１０】本発明の放射線原アセンブリ用圧搾機の側面図である。
【図１１】図１０で示した円板の詳細正面図である。
【図１２】図１０で示した支持体の詳細正面図である。
【図１３】図１１で示した加圧ロッド及び圧搾される放射線原アセンブリの外部カプセルの部分を示す部分詳細側面図である。
【図１４】図１０で示した揺動ロッドの部分詳細平面図である。
【符号の説明】
１０１：放射線原アセンブリ
１０３：外部カプセル
１０５：雌のコネクタ−
１０７：ピッグテイル
１０９：キャップコネクタ−
１１１：外部キャップ
１１３：内部カプセル
１１５、１１４：装着孔
１１７：カプセル体
１１９、１２０：ねじホ−ル
１２３：スプリング
１２７：小径捲線
１２９：大径捲線
１３１：連結突起
２０１：圧搾機
２０９：圧搾パンチ
２１１：支持体
２１３：加圧ロッド
２１９：プッシュロッド
２２１：駆動シリンダ−
２２３：案内部材
２２５：固定円板
２２７：圧搾チップ
２２９：帰還スプリング
２３１：ロ−ラ−
２３５：プッシュブロック
【図１】
0003605552.tif 000002
【図２】
0003605552.tif 000003
【図３】
0003605552.tif 000004
【図４】
0003605552.tif 000005
【図５】
0003605552.tif 000006
【図６】
0003605552.tif 000007
【図７】
0003605552.tif 000008
【図８】
0003605552.tif 000009
【図９】
0003605552.tif 000010
【図１０】
0003605552.tif 000011
【図１１】
0003605552.tif 000012
【図１２】
0003605552.tif 000013
【図１３】
0003605552.tif 000014
【図１４】
0003605552.tif 000015